(57)【特許請求の範囲】
【請求項１】
オリジナル画像データを記憶手段に格納した後、電子メールを利用して画像データを受信側のインターネットファクシミリ装置に対して送信するフルモードの送信側のインターネットファクシミリ装置において、
オリジナル画像データが記憶手段から消失されたことを検出する検出手段と、
上記オリジナル画像データの消失が検出されたときに、上記オリジナル画像データの消失が検出されたことを受信側のインターネットファクシミリ装置に対して通知する制御手段とを備えたことを特徴とするインターネットファクシミリ装置。
【請求項２】
上記検出手段は、所定のタイミングでオリジナル画像データが記憶手段から消失されたことを検出し、上記タイミングは、簡易画像データを含む１回目の電子メールを送信後のタイミングであることを特徴とする請求項１記載のインターネットファクシミリ装置。
【請求項３】
上記検出手段は、所定のタイミングでオリジナル画像データが記憶手段から消失されたことを検出し、上記タイミングは、簡易画像データを含む１回目の電子メールを送信後に、所定の能力情報に対応した画像データを要求する画像データ要求を含む電子メールを受信し、上記能力情報に対応した画像データを含む２回目の電子メールを送信しようとするタイミングであることを特徴とする請求項１記載のインターネットファクシミリ装置。
【請求項４】
オリジナル画像データを記憶手段に格納した後、電子メールを利用して画像データを送信するフルモードのインターネットファクシミリ装置において、オリジナル画像データが記憶手段から消失されたことを常時検出し、検出したときに所定の通知処理を実行する第１の動作モードと、所定のタイミングにおいてオリジナル画像データが記憶手段から消失されたことを検出し、検出したときに所定の通知処理を実行する第２の動作モードとを選択的に設定して実行する制御手段を備えたことを特徴とするインターネットファクシミリ装置。
【請求項５】
上記制御手段は、上記オリジナル画像データの消失が検出されたことを電子メールを用いて相手先に通知することを特徴とする請求項１乃至４のうちのいずれか１つに記載のインターネットファクシミリ装置。
【請求項６】
上記制御手段は、上記オリジナル画像データの消失が検出されたことを通信管理記録に記録することを特徴とする請求項１乃至４のうちのいずれか１つに記載のインターネットファクシミリ装置。
【請求項７】
上記制御手段は、上記オリジナル画像データの消失が検出されたことをレポートの印字出力により通知することを特徴とする請求項１乃至４のうちのいずれか１つに記載のインターネットファクシミリ装置。
【請求項８】
オリジナル画像データを記憶手段に格納した後、電子メールを利用して画像データを送信するフルモードのインターネットファクシミリ装置において、簡易画像データを含む１回目の電子メールを送信後に、所定の能力情報に対応した画像データを要求しない電子メールを受信したときに、オリジナル画像データが消失されたことを検出する検出手段と、上記オリジナル画像データの消失が検出されたときに正常終了させるように制御する制御手段とを備えたことを特徴とするインターネットファクシミリ装置。
【発明の詳細な説明】
【０００１】
【発明の属する技術分野】
本発明は、電子メールを利用して画像データを送信するフルモードのインターネットファクシミリ装置に関する。
【０００２】
【従来の技術】
図２は、従来技術に係るフルモードのインターネットファクシミリ装置２０Ａ，２０Ｂ間の通信手順を示すシーケンス図である。
【０００３】
電子メールを利用して画像データをインターネットを介して送信するフルモードのインターネットファクシミリ装置においては、図２に示すように、初回の通信手順において、送信側のインターネットファクシミリ装置２０Ａは、原稿画像を自局の最高能力条件又はユーザが指定する能力条件で読み取ってオリジナル画像データとして画像メモリに格納した後、オリジナル画像データより解像度が悪い簡易画像データを生成し、オリジナル画像データのフォーマット情報とともに、簡易画像データを含む１回目の電子メールをインターネットを介して、相手先の受信側のインターネットファクシミリ装置２０Ｂに送信する。これに応答して、受信側のインターネットファクシミリ装置２０Ｂは、自局能力情報（画像データのファイル形式、可能な解像度とその縦横比、画像符号化方式、印刷する紙サイズの幅情報などの情報）とともに、画像データ要求を含む返信の電子メールをインターネットを介して、送信側のインターネットファクシミリ装置２０Ａに返信する。次いで、送信側のインターネットファクシミリ装置２０Ａは、受信した受信側の能力情報に基づいて、上記画像メモリに格納されたオリジナル画像データから当該能力情報に対応する画像データを生成し、当該画像データを含む電子メールをインターネットを介して、受信側のインターネットファクシミリ装置２０Ｂに送信する。これに応答して、インターネットファクシミリ装置２０Ｂは、正常に受信できたときはＯＫの送達確認を、もしくは、異常に受信したときはＮＧの送達確認を含む電子メールを送信側のインターネットファクシミリ装置２０Ａに対して返信する。
【０００４】
次いで、２回目以降の通信手順においては、送信側のインターネットファクシミリ装置２０Ａは、先に受信した受信側の能力情報に基づいて、画像メモリに格納されたオリジナル画像データから当該能力情報に対応する画像データを生成し、当該画像データを含む電子メールをインターネットを介して、受信側のインターネットファクシミリ装置２０Ｂに送信する。これに応答して、インターネットファクシミリ装置２０Ｂは、正常に受信できたときはＯＫの送達確認を、もしくは、異常に受信したときはＮＧの送達確認を含む電子メールを送信側のインターネットファクシミリ装置２０Ａに対して返信する。
【０００５】
【発明が解決しようとする課題】
上述のフルモードのインターネットファクシミリの通信手順においては、送信側のインターネットファクシミリ装置２０Ａでは、自局能力情報とともに画像データ要求を含む電子メールを受信するまでは、オリジナル画像データを画像メモリに格納しておく必要がある。しかしながら、電源断、メモリ異常、ユーザによる誤消去などの、なんらかの原因でオリジナル画像データが消失された場合であっても、適切な処理を実行することができなかった。
【０００６】
本発明の目的は以上の問題点を解決し、オリジナル画像データが消失された場合において、自動的に適切な処理を実行することができるインターネットファクシミリ装置を提供することにある。
【０００７】
【課題を解決するための手段】
本願の第１の発明に係るインターネットファクシミリ装置は、オリジナル画像データを記憶手段に格納した後、電子メールを利用して画像データを受信側のインターネットファクシミリ装置に対して送信するフルモードの送信側のインターネットファクシミリ装置において、オリジナル画像データが記憶手段から消失されたことを検出する検出手段と、上記オリジナル画像データの消失が検出されたときに、上記オリジナル画像データの消失が検出されたことを受信側のインターネットファクシミリ装置に対して通知する制御手段とを備えたことを特徴とする。
【０００８】
上記インターネットファクシミリ装置において、上記検出手段は、好ましくは、所定のタイミングでオリジナル画像データが記憶手段から消失されたことを検出し、上記タイミングは、
（ａ）簡易画像データを含む１回目の電子メールを送信後のタイミング、又は
（ｂ）簡易画像データを含む１回目の電子メールを送信後に、所定の能力情報に対応した画像データを要求する画像データ要求を含む電子メールを受信し、上記能力情報に対応した画像データを含む２回目の電子メールを送信しようとするタイミングであることを特徴とする。
【０００９】
また、本願の第２の発明に係るインターネットファクシミリ装置は、オリジナル画像データを記憶手段に格納した後、電子メールを利用して画像データを送信するフルモードのインターネットファクシミリ装置において、オリジナル画像データが記憶手段から消失されたことを常時検出し、検出したときに所定の通知処理を実行する第１の動作モードと、所定のタイミングにおいてオリジナル画像データが記憶手段から消失されたことを検出し、検出したときに所定の通知処理を実行する第２の動作モードとを選択的に設定して実行する制御手段を備えたことを特徴とする。
【００１０】
上記インターネットファクシミリ装置において、上記通知処理は、
（ａ）上記オリジナル画像データの消失が検出されたことを電子メールを用いて相手先に通知すること、
（ｂ）上記オリジナル画像データの消失が検出されたことを通信管理記録に記録すること、
（ｃ）上記オリジナル画像データの消失が検出されたことをレポートの印字出力により通知すること、
のうちの少なくとも１つであることを特徴とする。
【００１１】
さらに、本願の第３の発明に係るインターネットファクシミリ装置は、オリジナル画像データを記憶手段に格納した後、電子メールを利用して画像データを送信するフルモードのインターネットファクシミリ装置において、簡易画像データを含む１回目の電子メールを送信後に、所定の能力情報に対応した画像データを要求しない電子メールを受信したときに、オリジナル画像データが消失されたことを検出する検出手段と、上記オリジナル画像データの消失が検出されたときに正常終了させるように制御する制御手段とを備えたことを特徴とする。
【００１２】
【発明の実施の形態】
以下、図面を参照して本発明に係る実施形態について説明する。
【００１３】
＜実施形態＞
図１は、本発明に係る実施形態であるインターネットファクシミリ装置２０の構成を示すブロック図である。
【００１４】
本実施形態に係るインターネットファクシミリ装置２０は、オリジナル画像データをコンパクトフラッシュ（登録商標）８内の画像データメモリ領域８ａに格納した後、電子メールを利用して画像データをインターネット４０を介して送信するフルモードのインターネットファクシミリ装置であり、主制御部１は、
（ａ）簡易画像データを含む１回目の電子メールを送信後のタイミング（図３のステップＳ１３）、又は
（ｂ）簡易画像データを含む１回目の電子メールを送信後に、所定の能力情報に対応した画像データを要求する画像データ要求を含む電子メールを受信し、上記能力情報に対応した画像データを含む２回目の電子メールを送信しようとするタイミングで（図６のステップＳ４７）、
オリジナル画像データがコンパクトフラッシュ（登録商標）８内の画像データメモリ領域８ａから消失されたことを検出し、上記オリジナル画像データの消失が検出されたときに、図４の送信エラー処理を実行し、この送信エラー処理では、
（ａ）上記オリジナル画像データの消失が検出されたことを電子メールを用いて相手先のインターネットファクシミリ装置に通知し（ステップＳ２４）、
（ｂ）上記オリジナル画像データの消失が検出されたことを通信管理記録に記録し（ステップＳ２３）、
（ｃ）上記オリジナル画像データの消失が検出されたことをレポートの印字出力により通知する（ステップＳ２２）ことを特徴としている。
【００１５】
また、本実施形態においては、簡易画像データを含む１回目の電子メールを送信後に、所定の能力情報に対応した画像データを要求しない電子メールを受信したときに（ステップＳ８でＮＯかつステップＳ１０でＹＥＳ）、上記オリジナル画像データの消失が検出されたときに（ステップＳ３０でＹＥＳ）送信完了の異常にはしない処理を実行する。
【００１６】
図１において、インターネットファクシミリ装置２０は、従来のＧ３方式等のファクシミリ通信機能を備えるとともに、図２の通信手順を備えたフルモードのインターネットファクシミリ機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該インターネットファクシミリ装置２０の動作状態を表示したり、送信すべき原稿のイメージデータ、及び受信したイメージデータの表示を行う。
【００１７】
操作部５は、当該インターネットファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１８】
ＲＯＭ６は、当該インターネットファクシミリ装置２０の動作に必要であって主制御部１によって実行される種々のソフトウェアのプログラムを予め格納する。これらのプログラムは、少なくとも図３乃至図６に図示されたフルモードのインターネットファクシミリ送信処理のプログラムを含み、例えば、フロッピー（登録商標）ディスク、ＭＯ、ＤＶＤ−ＲＡＭなどの記録媒体に記録して、必要に応じてそのドライブ装置を介してＳＲＡＭ７にロードして当該プログラムを実行してもよい。ＳＲＡＭ７は、主制御部１のワーキングエリアとして使用されてプログラムの実行時に発生する一時的なデータを記憶する。また、コンパクトフラッシュ（登録商標）８は、画像データを格納する画像データメモリ領域８ａと、通信管理記録テーブルを記録するためのメモリ領域である通信管理記録テーブル領域８ｂとを含む。
【００１９】
ファックスモデム１０は、公衆電話回線Ｌを介して公衆電話網５０に接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００２０】
インターフェース回路１２は、当該インターネットファクシミリ装置２０を、例えばイーサネット（登録商標）などのＬＡＮ３０等に接続するために、信号やデータの信号変換やプロトコル変換を行うＬＡＮインターフェース回路であり、ＬＡＮ３０にはメールサーバ装置３１とルータ装置３２が接続される。さらに、ルータ装置３２はインターネット４０を介して相手先のメールサーバ装置（図示せず。）に接続される。当該インターネットファクシミリ装置２０から画像データを電子メール本文に挿入して、他のインターネットファクシミリ装置に対してメール送信するときは、インターフェース回路１２からＬＡＮ３０を介して一旦メールサーバ装置３１に送信した後、メールサーバ装置３１が当該インターネットメールを、ＬＡＮ３０、ルータ装置３２、インターネット４０、及び相手先のメールサーバ装置（図示せず。）を介して送信先のインターネットファクシミリ装置にメール送信する。一方、電子メールを受信するときは、上記の逆の経路で受信する。なお、インターネット４０への回線接続は、専用回線などに限らず、公衆電話回線Ｌを用いたダイヤルアップ接続でもよい。
【００２１】
以上のように構成された本実施形態のインターネットファクシミリ装置２０は、通常のＧ３方式及びインターネット等のファクシミリ通信機能に加えて、インターネットファクシミリ機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。
【００２２】
次いで、本実施形態に係るフルモードのインターネットファクシミリ送信時の電子メールの一例を以下に示す。
【００２３】
まず、表１に、簡易画像データの送信時の電子メールの一例を示す。表１から明らかなように、挿入されたＴＩＦＦ形式の画像データの前に、挿入された画像データのフォーマット情報（画像データのファイル形式、可能な解像度とその縦横比、画像符号化方式、印刷する紙サイズの幅情報などの情報）を含むとともに、オリジナル画像データのフォーマット情報（画像データのファイル形式、可能な解像度とその縦横比、画像符号化方式、印刷する紙サイズの幅情報などの情報）を含んでいる。
【００２４】
【表１】
0003666455.tif 000002
0003666455.tif 000003
【００２５】
次いで、表２に、画像データ要求の送信時の電子メールの一例を示す。表２から明らかなように、当該電子メールの最後に、受信側の自局能力情報（画像データのファイル形式、可能な解像度とその縦横比、画像符号化方式、印刷する紙サイズの幅情報などの情報）を含んでいる。
【００２６】
【表２】
0003666455.tif 000004
0003666455.tif 000005
【００２７】
さらに、表３に、２回目の画像データの送信時の電子メールの一例を示す。表３から明らかなように、電子メールの最後部に変換されたＴＩＦＦ形式の画像データが挿入されている。
【００２８】
【表３】
0003666455.tif 000006
【００２９】
またさらに、表４に、送達確認の送信時の電子メールの一例を示す。表４から明らかなように、電子メールの最初部において、送達確認情報が挿入され、その最後部に、受信側の自局能力情報（画像データのファイル形式、可能な解像度とその縦横比、画像符号化方式、印刷する紙サイズの幅情報などの情報）を含んでいる。
【００３０】
【表４】
0003666455.tif 000007
0003666455.tif 000008
【００３１】
図３は、図１のインターネットファクシミリ装置２０の主制御部１によって実行される、フルモードのインターネットファクシミリ送信処理を示すフローチャートである。
【００３２】
図３のステップＳ１において、まず、スタートキーをオンしたか否かが判断され、ＹＥＳとなったときに、ステップＳ２において原稿画像を自局の最高能力条件又はユーザが指定する能力条件で読み取ってオリジナル画像データとしてコンパクトフラッシュ（登録商標）８内の画像データメモリ領域８ａに格納し、ステップＳ３においてオリジナル画像データのフォーマット情報とともに簡易画像データを含む電子メールをインターネット４０を介して相手先のインターネットファクシミリ装置に送信する。次いで、ステップＳ４において相手先のインターネットファクシミリ装置から返信を受信したか否かが判断され、ＮＯのときはステップＳ５に進む一方、ＹＥＳのときはステップＳ８に進む。ステップＳ５において所定時間（例えば、３０分）経過したか否かが判断され、ＮＯのときはステップＳ４に戻る一方、ＹＥＳのときはステップＳ６に進む。次いで、ステップＳ６において再送信回数は所定数（例えば、５回）以下か否かが判断され、ＹＥＳのときはステップＳ１３に進む一方、ＮＯのときはステップＳ７に進む。ステップＳ１３では、オリジナル画像データが画像データメモリ領域８ａから消失したか否かが判断され、ＮＯのときはステップＳ３に戻る一方、ＹＥＳのときはステップＳ７に進む。一方、ステップＳ７において図４の送信エラー処理を実行した後、当該インターネットファクシミリ送信処理を終了する。
【００３３】
また、ステップＳ８において画像データ要求か否かが判断され、ＹＥＳのときはステップＳ１４に進む一方、ＮＯのときはステップＳ１０に進む。ステップＳ１４では、オリジナル画像データが画像データメモリ領域８ａから消失したか否かが判断され、ＮＯのときはステップＳ９に進む一方、ＹＥＳのときはステップＳ７に進む。ステップＳ９において図６の画像データ送信処理を実行した後、当該インターネットファクシミリ送信処理を終了する。一方、ステップＳ１０においてＯＫの送達確認か否かが判断され、ＹＥＳのときはステップＳ１１に進む一方、ＮＯのときはステップＳ１２に進む。ステップＳ１１において図５の送信完了処理を実行した後、当該インターネットファクシミリ送信処理を終了する。一方、ステップＳ１２においては、図４の送信エラー処理を実行した後、当該インターネットファクシミリ送信処理を終了する。
【００３４】
図４は、図３、図６及び図７のサブルーチンである送信エラー処理（Ｓ７，Ｓ１２，Ｓ４５，Ｓ５２）を示すフローチャートである。
【００３５】
図４のステップＳ２０において、まず、オリジナル画像データが画像データメモリ領域８ａから消失したか否かが判断され、ＮＯのときはステップＳ２１に進む一方、ＹＥＳのときはステップＳ２４に進む。ステップＳ２４では、オリジナル画像データが消失したことを知らせるエラー通知メールを相手先のインターネットファクシミリ装置にインターネット４０を介して送信し、ステップＳ２２に進む。一方、ステップＳ２１において画像データメモリ領域８ａに格納されたオリジナル画像データを消去し、ステップＳ２２において相手先から返信を受信できなかった、もしくは、ＮＧの送達確認を受信した場合に、上述のようにオリジナル画像データを消去した旨を知らせる送信エラーレポートを画像記録部３を用いて印字して出力し、ステップＳ２３において当該送信エラーをコンパクトフラッシュ（登録商標）８内の通信管理記録テーブル領域８ｂに記録し、元のメインルーチンに戻る。
【００３６】
図５は、図３及び図６のサブルーチンである送信完了処理（Ｓ１１，Ｓ４６）を示すフローチャートである。
【００３７】
図５のステップＳ３０では、まず、オリジナル画像データが画像データメモリ領域８ａから消失したか否かが判断され、ＮＯのときはステップＳ３１に進む一方、ＹＥＳのときは送信完了の異常にはしない処理を実行するために、ステップＳ３２に進む。ステップＳ３１では、画像データメモリ領域８ａに格納されたオリジナル画像データを消去し、ステップＳ３２において当該送信完了をコンパクトフラッシュ（登録商標）８内の通信管理記録テーブル領域８ｂに記録し、元のメインルーチンに戻る。
【００３８】
図６は、図３のサブルーチンである画像データ送信処理（Ｓ９）を示すフローチャートである。
【００３９】
図６のステップＳ４１において、まず、画像データメモリ領域８ａ内のオリジナル画像データを画像データ要求によって要求されるフォーマットに変換して、変換された画像データを含む電子メールをインターネット４０を介して相手先のインターネットファクシミリ装置に送信し、ステップＳ４２においてＯＫの送達確認を受信したか否かが判断され、ＮＯのときはステップＳ４３に進む一方、ＹＥＳのときはステップＳ４６に進む。ステップＳ４３において所定時間（例えば、３０分）経過したか否かが判断され、ＮＯのときはステップＳ４２に戻る一方、ＹＥＳのときはステップＳ４４に進む。ステップＳ４４において再送信回数は所定数（例えば、５回）以下か否かが判断され、ＹＥＳのときはステップＳ４７に進む一方、ＮＯのときはステップＳ４５に進む。ステップＳ４７では、オリジナル画像データが画像データメモリ領域８ａから消失したか否かが判断され、ＮＯのときはステップＳ４１に戻る一方、ＹＥＳのときはステップＳ４５に進む。ステップＳ４５においては、図４の送信エラー処理を実行した後、元のメインルーチンに戻る。一方、ステップＳ４６においては、図５の送信完了処理を実行した後、元のメインルーチンに戻る。
【００４０】
フルモードのインターネットファクシミリ装置では、最初にオリジナル原稿の画像データ情報を伴う簡易画像データを送信し、相手先のからの要求があれば相手機の能力に合わせた画像データを再送する。最初の簡易画像データを送信後は受信機側からの何らかの応答を待つことになるが、この間に何らかの事情で保持しているオリジナル原稿が消去されてしまった場合において、以下の処理を行っている。
（１）一定時間待ち、相手先から送達確認が帰ってきた場合には正常終了（異常にはしない）とみなす（図５のステップＳ３０でＹＥＳ）。
（２）一定時間待ち、オリジナル原稿のオリジナル画像データの送信要求を示す画像データ要求が返信されてきた場合は（ステップＳ８でＹＥＳ、ステップＳ１４でＹＥＳ）、相手先にエラーを示す電子メールを返信するともに、チェックメッセージを印字するなど送信エラー処理を行う（ステップＳ７）。
（３）一定時間経過しても応答が帰ってこない場合は（ステップＳ５でＹＥＳ）相手先に消去されたことを通知するエラーの電子メールを返信する（ステップＳ７）。
（４）一定時間経過しても応答が帰ってこない場合は（ステップＳ５でＮＯ）チェックメッセージを印字するなど送信エラー処理を行う（ステップＳ７）。
【００４１】
以上説明したように、本実施形態によれば、主制御部１は、
（ａ）簡易画像データを含む１回目の電子メールを送信後のタイミング（図３のステップＳ１３）、又は
（ｂ）簡易画像データを含む１回目の電子メールを送信後に、所定の能力情報に対応した画像データを要求する画像データ要求を含む電子メールを受信し、上記能力情報に対応した画像データを含む２回目の電子メールを送信しようとするタイミングで（図６のステップＳ４７）、
オリジナル画像データがコンパクトフラッシュ（登録商標）８内の画像データメモリ領域８ａから消失されたことを検出し、上記オリジナル画像データの消失が検出されたときに、図４の送信エラー処理を実行し、この送信エラー処理では、
（ａ）上記オリジナル画像データの消失が検出されたことを電子メールを用いて相手先のインターネットファクシミリ装置に通知し（ステップＳ２４）、
（ｂ）上記オリジナル画像データの消失が検出されたことを通信管理記録に記録し（ステップＳ２３）、
（ｃ）上記オリジナル画像データの消失が検出されたことをレポートの印字出力により通知する（ステップＳ２２）。
従って、オリジナル画像データが消失された場合に、自動的に適切な処理を実行することができ、また、この消失の通知に基づいて送信側、受信側においてユーザは適切な対応をとることができる。特に、受信側への通知により、当該通信の中断理由がわかり、受信側で適切な対応を行うことが可能となる。
【００４２】
また、本実施形態においては、簡易画像データを含む１回目の電子メールを送信後に、所定の能力情報に対応した画像データを要求しない電子メールを受信したときに（ステップＳ８でＮＯかつステップＳ１０でＹＥＳ）、上記オリジナル画像データの消失が検出されたときに（ステップＳ３０でＹＥＳ）送信完了の異常にはしない処理を実行する。従って、この場合において、エラー処理を実行する必要はなく、正常終了させることができ、無駄な処理を実行することがない。
【００４３】
＜変形例＞
以上の実施形態においては、インターネットファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００４４】
以上の実施形態においては、主制御部１は、上記電子メールの再送信を所定回数行っても返信の電子メールを受信できない場合には、送信エラーが発生したことを送信エラーレポートとして印字して出力（図４のステップＳ２２）しているが、送信エラーレポートを含む電子メールを相手先のインターネットファクシミリ装置、もしくは当該インターネットファクシミリ装置２０を監視しているインターネットファクシミリ装置に送信するように構成してもよい。従って、再送信を行っても、返信の電子メールを受信できなければ、相手先のインターネットファクシミリ装置、もしくは当該インターネットファクシミリ装置２０を監視しているインターネットファクシミリ装置に送信しているので、これらの装置の利用者で送信側の状況を把握できる。
【００４５】
図７は、図１のインターネットファクシミリ装置２０の主制御部１によって割り込み処理により実行される、変形例に係るオリジナル画像データ消失検出処理を示すフローチャートであり、この処理は、常時当該装置２０の処理を監視しており、未送信のオリジナル画像データが消失すればすぐに、割り込み処理にて実行される。図７において、まず、ステップＳ５１において未送信のオリジナル画像データが画像データメモリ領域８ａから消失したか否かが判断され、ＮＯのときは当該割り込み処理を終了するが、ＹＥＳのときはステップＳ５２において図４の送信エラー処理を実行して当該割り込み処理を終了する。すなわち、この変形例では、未送信のオリジナル画像データが画像データメモリ領域８ａから消失した場合、以下の処理を実行している。
（１）一定時間待たずに、即座に相手先に消去されたことを通知するエラーの電子メールを返信する（ステップＳ５２内のＳ２４）。
（２）一定時間待たずに、即座にチェックメッセージを印字するなど送信エラー処理を行う（ステップＳ５２内のＳ２２など）。
従って、オリジナル画像データが消失された場合に、即時に、自動的に適切な処理を実行することができ、また、この消失の通知に基づいて送信側、受信側においてユーザは適切な対応をとることができる。特に、受信側への通知により、当該通信の中断理由がわかり、受信側で適切な対応を行うことが可能となる。
【００４６】
さらに、図３乃至図６のフルモードのインターネットファクシミリ送信処理と、図７に係る変形例の割り込み処理とを、例えばファクシミリ通信毎又は相手先毎に、選択的に設定可能にしてもよい。すなわち、オリジナル画像データが記憶手段から消失されたことを常時検出し、検出したときに所定の通知処理を実行する第１の動作モードと、上述の所定のタイミングにおいてオリジナル画像データが記憶手段から消失されたことを検出し、検出したときに上述の所定の通知処理を実行する第２の動作モードとを選択的に設定するように構成してもよい。この場合において、オリジナル画像データが消失された場合に、例えばファクシミリ通信毎又は相手先毎に、自動的に適切な処理を実行することができ、また、この消失の通知に基づいて送信側、受信側においてユーザは適切な対応をとることができる。特に、受信側への通知により、当該通信の中断理由がわかり、受信側で適切な対応を行うことが可能となる。
【００４７】
【発明の効果】
以上詳述したように本願の第１の発明に係るインターネットファクシミリ装置によれば、オリジナル画像データを記憶手段に格納した後、電子メールを利用して画像データを受信側のインターネットファクシミリ装置に対して送信するフルモードの送信側のインターネットファクシミリ装置において、オリジナル画像データが記憶手段から消失されたことを検出する検出手段と、上記オリジナル画像データの消失が検出されたときに、上記オリジナル画像データの消失が検出されたことを受信側のインターネットファクシミリ装置に対して通知する制御手段とを備える。従って、オリジナル画像データが消失された場合に、自動的に適切な処理を実行することができ、また、この消失の通知に基づいて送信側、受信側においてユーザは適切な対応をとることができる。特に、受信側への通知により、当該通信の中断理由がわかり、受信側で適切な対応を行うことが可能となる。
【００４８】
上記インターネットファクシミリ装置において、上記検出手段は、好ましくは、所定のタイミングでオリジナル画像データが記憶手段から消失されたことを検出し、上記タイミングは、
（ａ）簡易画像データを含む１回目の電子メールを送信後のタイミング、又は
（ｂ）簡易画像データを含む１回目の電子メールを送信後に、所定の能力情報に対応した画像データを要求する画像データ要求を含む電子メールを受信し、上記能力情報に対応した画像データを含む２回目の電子メールを送信しようとするタイミングである。従って、オリジナル画像データが消失された場合に、適切なタイミングで自動的に適切な処理を実行することができ、また、この消失の通知に基づいて送信側、受信側においてユーザは適切な対応をとることができる。
【００４９】
また、本願の第２の発明に係るインターネットファクシミリ装置によれば、オリジナル画像データを記憶手段に格納した後、電子メールを利用して画像データを送信するフルモードのインターネットファクシミリ装置において、オリジナル画像データが記憶手段から消失されたことを常時検出し、検出したときに所定の通知処理を実行する第１の動作モードと、所定のタイミングにおいてオリジナル画像データが記憶手段から消失されたことを検出し、検出したときに所定の通知処理を実行する第２の動作モードとを選択的に設定して実行する制御手段を備える。この場合において、オリジナル画像データが消失された場合に、例えばファクシミリ通信毎又は相手先毎に、自動的に適切な処理を実行することができ、また、この消失の通知に基づいて送信側、受信側においてユーザは適切な対応をとることができる。特に、受信側への通知により、当該通信の中断理由がわかり、受信側で適切な対応を行うことが可能となる。
【００５０】
さらに、本願の第３の発明に係るインターネットファクシミリ装置によれば、オリジナル画像データを記憶手段に格納した後、電子メールを利用して画像データを送信するフルモードのインターネットファクシミリ装置において、簡易画像データを含む１回目の電子メールを送信後に、所定の能力情報に対応した画像データを要求しない電子メールを受信したときに、オリジナル画像データが消失されたことを検出する検出手段と、上記オリジナル画像データの消失が検出されたときに正常終了させるように制御する制御手段とを備える。従って、この場合において、エラー処理を実行する必要はなく、正常終了させることができ、無駄な処理を実行することがない。
【図面の簡単な説明】
【図１】  本発明に係る実施形態であるインターネットファクシミリ装置２０の構成を示すブロック図である。
【図２】  従来技術に係るフルモードのインターネットファクシミリ装置２０Ａ，２０Ｂ間の通信手順を示すシーケンス図である。
【図３】  図１のインターネットファクシミリ装置２０の主制御部１によって実行される、フルモードのインターネットファクシミリ送信処理を示すフローチャートである。
【図４】  図３、図６及び図７のサブルーチンである送信エラー処理（Ｓ７，Ｓ１２，Ｓ４５，Ｓ５２）を示すフローチャートである。
【図５】  図３及び図６のサブルーチンである送信完了処理（Ｓ１１，Ｓ４６）を示すフローチャートである。
【図６】  図３のサブルーチンである画像データ送信処理（Ｓ９）を示すフローチャートである。
【図７】  図１のインターネットファクシミリ装置２０の主制御部１によって割り込み処理により実行される、変形例に係るオリジナル画像データ消失検出処理を示すフローチャートである。
【符号の説明】
１…主制御部、
２…画像読取部、
３…画像記録部、
４…表示部、
５…操作部、
６…ＲＯＭ、
７…ＳＲＡＭ、
８…コンパクトフラッシュ（登録商標）、
８ａ…画像データメモリ領域、
８ｂ…通信管理記録テーブル領域、
１０…ファックスモデム、
１１…ＮＣＵ、
１２…インターフェース回路、
１３…バス、
２０…インターネットファクシミリ装置、
３０…ＬＡＮ、
３１…メールサーバ装置、
３２…ルータ装置、
４０…インターネット、
５０…公衆電話網、
Ｌ…公衆電話回線。
【図１】
0003666455.tif 000009
【図２】
0003666455.tif 000010
【図３】
0003666455.tif 000011
【図４】
0003666455.tif 000012
【図５】
0003666455.tif 000013
【図６】
0003666455.tif 000014
【図７】
0003666455.tif 000015